Podtech/llm-jp-corpus-v4-ja_patent huggingface dataset:
(57)【要約】  【課題】前開きのベスト又はタンクトップにオープンファスナーを従来の設け方とは違う形で設けることにより、ファッション性にも優れた合理的で、手軽にバックとして使用可能なバック兼用ベスト又はタンクトップ。  【解決手段】前開きのベスト又はタンクトップの前身頃中心上１をオープンファスナーの閉じ始めとし、後ろ身頃中心下２をオープンファスナーの閉じ止まりとしてオープンファスナーを設ける。オープンファスナーの取っ手３ｙと後ろ身頃中心表下３ｘにスナップボタンを設けて荷物の落下を防ぐものとする。４の袖周りはゆったりと開きがあればショルダーとしても使用可能である。    【選択図】  図１
0003132483.tif 000002
【実用新案登録請求の範囲】
【請求項１】
ベスト又はタンクトップにオープンファスナーを従来の設け方とは逆に設けてな
るバック兼用ベスト又はタンクトップ
【考案の詳細な説明】
【技術分野】
【０００１】
この考案は、ベスト又はタンクトップにオープンファスナーを設けたバック兼用ベスト又はタンクトップに関するものである。
【背景技術】
【０００２】
従来出先で、物を収納する必要性が生じた場合、衣服がバックに替わる物はあったが、ベスト又はタンクトップにオープンファスナーを従来とは違う形で１本設ける事で、合理的でしかも手軽でファッション性に富んだバック兼用ベスト又はタンクトップはなかつた。
【考案の開示】
【考案が解決しようとする課題】
【０００３】
従来、衣服にオープンファスナーを設ける場合下から上に向かって閉じるように設けられていた。この考案は、前開きのベスト又はタンクトップの前身ごろ中心上を閉じ始めとし、後ろ中心下で閉じ止まりになるようにオープンファスナーを設けることで合理的で手軽に使用可能なバック兼用ベスト又はタンクトップである。
【課題を解決するための手段】
【０００４】
ベスト又はタンクトップの袖周りはバックとして使用する場合、バックの持ち手になりショルダーバックとして使用する場合は、肩にかける部分になるのでゆったりとあいたものが望ましく、又肩位置から裾までの身丈の長さは５０ｃｍ〜６５ｃｍ位が望ましい。
【考案の効果】
【０００５】
近年、省エネ、エコライフの影響で、スーパーのレジ袋が有料化になるなどの社会現象が見られます。出先又はスーパーなどで、物品を収納する必要性が生じた場合、合理的で手軽に収納できる物があれば非常に便利でありしかもエコライフに少しは協力できる商品になるだろうと考えます。
【考案を実施するための最良の形態】
【０００６】
ベスト又はタンクトップにオープンファスナーを設けるためには、前開きのデザインの物でなければならない。襟周りと袖周りはゆったりと開いたデザインの物が望ましい。布の素材は特に硬いか特に薄地以外なら十分使用可能である。一般的な服地ももちろん使用可能である。肩から裾までの身頃丈は５０ｃｍ〜６５ｃｍ位が望ましい。オープンファスナーの取っ手と閉じ止まりである後ろ身頃表中心下部にスナップを設けた事で荷物の落下を防ぐ事ができる。
【図面の簡単な説明】
【０００７】
【図１】本考案のオープンファスナーを設けた状態の正面図である。
【図２】本考案のオープンファスナーを前身ごろを閉じた状態の斜視図である。
【図３】本考案のファスナーを最後まで閉じて、バックになった図である。
【符号の説明】
【０００８】
１    オープンファスナーの閉じ始め
２    オープンファスナーの閉じ止まり
３ｙ  スナップボタンの雌部
３ｘ  スナップボタンの雄部
４    袖周り
５    肩
６    オープンファスナー
【図１】
0003132483.tif 000003
【図２】
0003132483.tif 000004
【図３】
0003132483.tif 000005
【手続補正書】
【提出日】平成19年2月2日(2007.2.2)
【手続補正１】
【補正対象書類名】実用新案登録請求の範囲
【補正対象項目名】全文
【補正方法】変更
【補正の内容】
【実用新案登録請求の範囲】
【請求項１】
ベスト又はタンクトップの前身ごろ中心上を閉じ始めとしてそのまま前身ごろ下後ろ見ごろ下をたどり後ろ見ごろ中心下で閉じ止りとなるようにオープンファスナーを設けたバック兼用ベスト又はタンクトップ。
【請求項２】
オープンファスナーを開けた状態の時はそのままベストとして着用し、上から下にファスナーを前身ごろだけ閉じた時はタンクトップ又はチヨッキとして着用でき出先で物を収納する必要性が生じた場合簡単に脱げてファスナーを前身ごろ中心上から後ろ見ごろ中心下まで閉じれば手軽にバックとして使用可能となるバック兼用ベスト又はタンクトップ。
(57)【要約】【課題】  本考案の目的として、シャッターの機能に支障なく、ねずみに齧られない素材を使用して、まぐさ部とスラットの隙間から、ねずみを侵入させないことにある。【解決手段】  まぐさ部７とスラット６の隙間から、シャッター用ねずみ侵入防止板を差込み、スラット６とシャッター用ねずみ侵入防止板５から、１０ｍｍ以下の隙間を開けて、まぐさ部７に固定ねじ９で固定することで、ねずみはスラット６と、シャッター用ねずみ侵入防止板５の隙間を通ることができなくすることが特徴である。【選択図】図３
0003132484.tif 000002
【実用新案登録請求の範囲】
【請求項１】
シャッター上部のスラットと、まぐさの隙間から侵入するねずみを防ぐため、スラットと平行に板を取付けることで、ねずみの侵入を防止ことを特徴とする、シャッター隙間用ねずみ侵入防止板である。
【請求項２】
ねずみに齧られない金属板を使用しても、シャッター可動に支障の無いように、ねずみ侵入防止板の上部と下部は、角度をつけて折り曲げてあることが特徴の、シャッター用ねずみ侵入防止板である。
【考案の詳細な説明】
【技術分野】
【０００１】  本考案はシャッターの隙間からのねずみ侵入防止に関する。
【背景技術】
【０００２】  従来、シャッターそのものには、小動物の侵入に関しては対策がとられていない。その為、シャッター上部の隙間を通じてねずみが出入りすることがある。【０００３】  シャッター上部の隙間からねずみ侵入防止のため、ブラシやゴムなどを取り付けて、対策をとっているシャッター産業やねずみ・害虫駆除業もある。しかしながら、ブラシやゴムではねずみに齧られてしまうため、確実にねずみの侵入防止対策にならないことがある。【０００４】  なお、本考案に関連する公知技術として次の特許文献１を挙げることができる【０００５】
【特許文献１】  出願番号：実用新案出願平５−２９５９８  公開番号：実用新案公開平６−８２３８７
【考案の開示】
【考案が解決しようとする課題】
【０００６】  シャッター上部のまぐさ部とスラットにねずみが通れる隙間がある。【０００７】  ねずみ対策として、まぐさ部とスラットの隙間に取り付けられているものは、ブラシやゴムの素材のため、ねずみに齧られてしまうことがある。【０００８】  本考案の目的として、シャッターの機能に支障なく、ねずみに齧られない金属を使用して、まぐさ部とスラットの隙間から、ねずみを侵入させないことにある。
【課題を解決するための手段】
【０００９】  上述の目的を達成する本考案のシャッター用ねずみ侵入防止板は、まぐさ部とスラットの隙間を、スラット面と平行に取り付けることが特徴である。【００１０】  シャッター用ねずみ侵入防止板は、金属板を使用するため、ねずみに齧られないことにある。【００１１】  シャッター用ねずみ侵入防止板は、シャッターの可動に支障がないように、金属板上部と下部に角度をつけてあることが特徴である。
【考案の効果】
【００１２】  以上の説明したように本考案によれば、シャッターの機能に支障なくねずみの侵入を防止することができる。また、金属板を使用することで、ねずみに齧られることは無く、ねずみが再び侵入することを防止できる。
【考案を実施するための最良の形態】
【００１３】  以下、本考案の実施の形態を図面に基づき詳細に説明する。【００１４】  図１〜図３は本考案の形態であり、図１はその外観斜視図、図２はその中央部の縦断面図、図３は取付図である。【００１５】  図１に示すように、シャッター用ねずみ侵入防止板は、スラットと本体板１の隙間を、１０ｍｍ以下にすることで、ねずみの侵入を防止することができる。【００１６】  図２に示すように、シャッター用ねずみ侵入防止板は、スラット避け板２を上下につくることで、シャッターの機能に支障なく金属板を使用することができる。【００１７】  図１に示すように、シャッター用ねずみ侵入防止板は、スラットと本体板１の隙間を調節できるように、固定版３にはスライド式固定穴４を開けておく。
【実施例】
【００１８】  シャッター用ねずみ侵入防止板は、スラットと本体板１の隙間を１０ｍｍ以下にして、スライド式固定穴をねじで固定する、
【産業上の利用可能性】
【００１９】  本考案は衛生面の基礎として、ねずみ・害虫駆除業やシャッター製造、販売する産業分野で利用することができる。
【図面の簡単な説明】
【００２０】
【図１】本考案のシャッター用ねずみ侵入防止板の全体を示した外観斜視図である。
【図２】本考案のシャッター用ねずみ侵入防止板の中央部を示した断面図である。
【図３】本考案のシャッター用ねずみ侵入防止板をシャッターに取り付けた状態を示す取付図である。
【符号の説明】
【００２１】１、      ねずみ侵入防止板
２、      スラットよけ
３、      固定板
４、      スライド式固定穴
５、      シャッター用ねずみ侵入防止板
６、      スラット
７、      まぐさ
８、      ガイドレール
９、      固定ねじ
【図１】
0003132484.tif 000003
【図２】
0003132484.tif 000004
【図３】
0003132484.tif 000005
【手続補正書】
【提出日】平成19年3月7日(2007.3.7)
【手続補正１】
【補正対象書類名】実用新案登録請求の範囲
【補正対象項目名】請求項１
【補正方法】変更
【補正の内容】
【請求項１】
シャッター上部のスラットと、まぐさの隙間から侵入するねずみを防ぐため、スラットと平行に板を取付けることで、ねずみの侵入を防止することを特徴とする、シャッター隙間用ねずみ侵入防止板。
【手続補正２】
【補正対象書類名】実用新案登録請求の範囲
【補正対象項目名】請求項２
【補正方法】変更
【補正の内容】
【請求項２】
ねずみに齧られない金属板を使用しても、シャッター可動に支障の無いように、ねずみ侵入防止板の上部と下部は、角度をつけて折り曲げてあることを特徴とする、請求項１記載のシャッター隙間用ねずみ侵入防止板。
(57)【要約】【課題】  従来より屋根の雪落しをする機具はいろいろ存在していたが、この種の機具は簡単には雪が落ちない、という点を可能にする。【解決手段】  レールの上に裏面の中心に丸棒の付いた落し板を置き、雪落し板に結んだワイヤーを右方向に引っ張ることで右に傾かせて右に滑らせ、落し板の上に雪が乗った事を確認後左方向Ｂに引っ張る事で落し板を左に傾かせて雪の層を切り、落し板の上に雪の層を作り、その雪の層が重みで自然に滑り落ちるようにした。【選択図】図２
0003132486.tif 000002
【実用新案登録請求の範囲】
【請求項１】
レール３の上に裏面の中心に丸棒２の付いた落し板１を置き、雪落し板に結んだワイヤー４を右方向Ａに引っ張ることで右に傾かせて右に滑らせ、落し板の上に雪が乗った事を確認後左方向Ｂに引っ張る事で落し板を左に傾かせて雪の層を切り、落し板の上に雪の層を作り、その雪の層が重みで自然に滑り落ちるようにした雪落し機。
【考案の詳細な説明】
【技術分野】
【０００１】  屋根の雪落し機。
【背景技術】
【０００２】  以前はスコップ等を用いて手作業で行っていた。
手作業は動力と時間を要した上に危険を伴っていた。
【考案の開示】
【考案が解決しようとする課題】
【０００１】  従来より、屋根の雪落しをする機具はいろいろ存在していたが、この種の機具は簡単には雪が落ちないという問題点を有していた。
【課題を解決するための手段】
【０００２】  上記項目を達成するために、レールの上に裏面の中心に丸棒の付いた落し板を置き、雪落し板に結んだワイヤーを右方向に引っ張ることで右に傾かせて右に滑らせ、落し板の上に雪が乗った事を確認後左方向Ｂに引っ張る事で落し板を左に傾かせて雪の層を切り、落し板の上に雪の層を作り、その雪の層が重みで自然に滑り落ちるようにした。
【考案の効果】
【０００３】  左右に張った２本のワイヤーで結んだ雪落し板を右に引っ張ることで上に雪を乗せたり、左に引っ張ることで雪の層を切って、自然に滑り落ちるようにすることができる。
また、軒先に少しはみ出させる事によって雨樋を痛める事なく雪落しが出来る。
【図面の簡単な説明】
【０００４】
【図１】  屋根に乗った雪落し機の斜視図である。
【図２】  雪落し板を右に傾けて右に移動させている斜視図である。
【図３】  雪落し板を左に傾けて左に移動させている斜視図である。
【図４】  雪落し機の平面図である。
【図５】  雪落し機の断面図である。
【符号の説明】
【０００５】    １  雪落し板
２  丸棒
３  レール（鉄アングル）
４  ワイヤー
Ａ  右方向
Ｂ  左方向
【図１】
0003132486.tif 000003
【図２】
0003132486.tif 000004
【図３】
0003132486.tif 000005
【図４】
0003132486.tif 000006
【図５】
0003132486.tif 000007
(57)【要約】【課題】本考案はＬＥＤ等の電球用の電飾ケーブルにおいて、ＬＥＤ等の電球を任意の位置・間隔で簡単に脱着ができ、かつ、通常の電飾ケーブルに要求されるような柔軟性を持ち、別個に形状保持用の針金等を用いずに、任意の形状保持ができる電飾ケーブルを提供する。【解決手段】電飾ケーブルの両側に溝となる絶縁性樹脂１を設け、それらに導通体２をはめ込み、その一部を剥き出しにする。その上で、合体した絶縁性樹脂１と導通体２を、絶縁性樹脂３で剥き出した状態を維持できるように包み込む。また、電線の形状保持は、使用する絶縁性樹脂３の材質・配合を最適なものにすることで、導通体のみで行う。【選択図】図１
0003132489.tif 000002
【実用新案登録請求の範囲】
【請求項１】
絶縁部の樹脂が硬質又は軟質製、あるいはそれら両方の樹脂を組み合わせた電飾ケーブルで、左右両側に溝があり、それらの溝に導通体がはめ込まれ、それら導通体が剥き出しとなっている電飾ケーブル。また、剥き出しの導通体部分は樹脂製のヒレを付けたり、完全被覆、もしくは保護カバーを取り付けた形状も可能な電飾ケーブル。もちろん、通常の電飾ケーブルに要求されるような、ねじり・曲げなどが自在にできる柔軟性を持ち、かつ任意の形状に保持する事も可能な電飾ケーブル。
【考案の詳細な説明】
【技術分野】
【０００１】  本考案は絶縁性の樹脂からなる装飾用の電飾ケーブルに関するものである。
【背景技術】
【０００２】  近年、クリスマスツリーやイルミネーション等の装飾に、ＬＥＤ等の電球を用いたものが増えており、そこに用いられる電飾ケーブルへの要求もまた増加している。
【考案の開示】
【考案が解決しようとする課題】
【０００３】  従来の電飾ケーブルではＬＥＤ等の電球を任意の位置に取り付ける際、絶縁被覆を切除して導通体を剥き出しにする必要があり、作業に手間がかるのが欠点だった。さらに、一度取り付けた電球の位置を変更することは原則不可であり、変更するには一度剥き出しにした導通体部分を再絶縁してから、新たに任意の場所を剥き出しにするか、新たな電飾ケーブルを用意する必要があり、多大な手間とコストがかかる欠点があった。当然のことながら、既製品を購入した場合、電球の位置・間隔共にその選択は狭められる。又、電飾ケーブルによっては任意の形状保持性に欠けるものがあった。そのため、電飾ケーブルの形状を所望の形に保持する為に、針金やワイヤー等を別個に用いて形状を保持させる必要があった。
【課題を解決する為の手段】
【０００４】  本考案は絶縁性の樹脂を用いた電飾ケーブルで、その左右両側に溝を持ち、それらの溝に導通体がはめ込まれ、それら導通体の一部を剥き出しにするという構造を備えている。その構造によって、ＬＥＤ等の電球装着作業の効率を向上し、さらに、ＬＥＤ等の電球装着箇所・間隔を自由にでき、装着個所の変更を何度でも可能とし、また、使用する絶縁性樹脂の硬度や硬質・軟質の組み合わせを最適なものにする事により、導通体のみで電飾ケーブルを任意の形状に保持することを可能とすることで、上記課題を解決している。
【考案実施の形態】
【０００５】  図１に示すように、半円形状の硬質絶縁性樹脂１を成形する。次に、１の硬質絶縁性樹脂の半円部分に銅線等の導通体２を挿入する。１が半円形状となっている事によって、剥き出しになった導通体部分を得ることができる。なお、１の硬質絶縁性樹脂の形状・材質は、導通体を保持し、かつ導通体の一部分を剥き出しとする事ができるのであれば、三角形や台形、軟質・硬質等どのような形状・材質でも良い。また、本考案に使用する導通体は銅や銀、アルミなど良導体であり、かつ、電飾ケーブルを任意の形状に保持できる物であれば、どのような材質でも良い。
【０００６】  次に、図１に示すように、導通体２が挿入された１の絶縁性樹脂を軟質の絶縁性樹脂３で包み込む。なお３の絶縁性樹脂は、軟質だけでなく半硬等、電飾ケーブルとしての柔軟性を持たせることのできるものならば、どのような材質でも良い。導通体部分は剥き出しになるようにするが、安全性を高めるため、樹脂製のヒレをつけるか、完全被覆とする事も可能。なお、防水・防塵用の着脱式保護カバーの取り付けを行うことで、屋外使用にも対応する。
【０００７】  上記工程にて完成した本考案の電飾ケーブルは、図１の導通体２の一部分が剥き出しになっていることで、絶縁被覆の切除等の作業を省くことができ、ＬＥＤ等の電球を任意の位置・間隔で容易に取り付け・取り外しができる。さらに、図１の絶縁性樹脂３が適切な柔軟性を持っていることで、図１の導通体２のみで任意の形状を保持することができる。
【考案の効果】
【０００８】本考案に係る電飾ケーブルは電飾ケーブルに必要とされる柔軟性・形状保持性を確保しつつ、導通体部分が剥き出しとなっている事で、ＬＥＤ等の電球を任意の位置・間隔で簡単に取り付けることができ、その取り外しや再配置の容易さも提供するものである。
【図面の簡単な説明】
【０００９】
【図１】本考案が適用された電飾ケーブルの外観斜視図である。
【図２】本考案が適用された電飾ケーブルの断面図である。
【図３】本考案が適用された電飾ケーブルの柔軟性及び形状保持性を示す図である。
【符号の説明】
【００１０】  １・・・絶縁性樹脂（硬質）
２・・・道通体
３・・・絶縁性樹脂（軟質）
【図１】
0003132489.tif 000003
【図２】
0003132489.tif 000004
【図３】
0003132489.tif 000005
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
本考案の電飾ケーブルにおいて、（１）絶縁部の樹脂が硬質又は軟質製、あるいはそれら両方の樹脂を組み合わせた電飾ケーブルで、（２）左右両側に溝があり、それらの溝に導通体がはめ込まれ、それら導通体が剥き出しとなっており、（３）また、剥き出しの導通体部分は樹脂製のヒレを付けたり、完全被覆、もしくは保護カバーを取り付けた形状も可能としており、（４）また、通常の電飾ケーブルに要求されるような、ねじり・曲げなどが自在にできる柔軟性を持ち、（５）かつ任意の形状に保持する事も可能としている、以上からなる電飾ケーブル。
(57)【要約】【課題】  原子力発電所で放射能汚染された原子力発電所排水をドラム缶で排出して埋め立てる土地を不要とする対策を検討する原子力発電所。【解決手段】  放射能汚染された原子力発電所水６、を水（水酸化ナトリウム溶液）５、として陽極３、に酸素１、陰極４、に水素２を発生する水の電気分解装置７、を具備している事により、ドラム缶による排水を不要としてドラム缶水を埋め立てる土地を不要とする原子力発電所。【選択図】          図１
0003132447.tif 000002
【実用新案登録請求の範囲】
【請求項１】
水の電気分解装置を具備した原子力発電所
【考案の詳細な説明】
【技術分野】
【０００１】
本考案は、従来の原子力発電所の放射能汚染水排水ドラム缶使用の排水処理の原子力発電所に関する。
【背景技術】
【０００２】
放射能汚染水排水ドラム缶使用の排水処理の原子力発電所は、排水ドラム缶を地中に穴を掘って埋めて永久に堀り出さないように排水処理した原子力発電所である。
【考案の開示】
【考案が解決しようとする課題】
【０００３】
しかしながら、放射能汚染水ドラム缶の数が大きくなり、地中に埋める工数と掘り出せないための土地占有の費用の増大があった。
【０００４】
本考案は上記実情に鑑みてなされたものであり、放射能汚染水をドラム缶で排水して地中に埋める土地を不要にする事を目的としている。
【課題を解決するための手段】
【０００５】
上記目的を達成するため考案は、従来の原子力発電所内の放射能汚染水を水（水酸化ナトリウム溶液）の電気分解装置により酸素と水素に電気分解するものである。
【考案の効果】
【０００６】
本考案により、放射能汚染された原子力発電所水を水（水酸化ナトリウム）の電気分解装置の電気分解して酸素と水素に変える事により、ドラム缶で排出して埋める土地を不要とする原子力発電所にできる。
【考案を実施するための最良の形態】
【０００７】
本考案の実施の形態の一例について、図面を参照しながら説明する。
原子力発電所は図１に示すように、放射能汚染された原子力発電所水６、を水（水酸化ナトリウム溶液）５、として、陽極３、に酸素１、陰極４、に水素２、を発生する水の電気分解装置７を具備している事で、ドラム缶による排水を不要としてドラム缶を埋める土地を不要としている。
【図面の簡単な説明】
【０００８】
【図１】図1は、放射能汚染された原子力発電所水６を水酸化ナトリウム溶液５として、水の電気分解装置７で、陽極３に酸素１、陰極４に水素２に電気分解する構成の原子力発電所である。
【符号の説明】
【０００９】
１      酸素
２      水素
３      陽極
４      陰極
５      水（水酸化ナトリウム溶液）
６      放射能汚染された原子力発電所水
７      水の電気分解装置        
【図１】
0003132447.tif 000003
(57)【要約】【課題】容易且つ安全に取り扱うことができ、組み立てが簡単なばかりでなく、資源の有効的な活用が可能となり、廃棄物処理上の問題解決の一助となり得る園芸用ブロックを提供する。【解決手段】  廃タイヤ粉砕物等のゴムチップに熱硬化樹脂等のバインダを混合した後、型枠に充填して固化させて形成したブロック本体１を得る。ブロック本体１の上面に、円柱状の一対の突部２を形成すると共に、下面に一対の凹部３を設け、これらを雌雄嵌合させて多数のブロック体１を縦横に連結して花壇枠５を形成する。【選択図】  図１
0003132441.tif 000002
【実用新案登録請求の範囲】
【請求項１】
ゴムチップをバインダを混合して固形化すると共に、その上面及び下面に雌雄嵌合可能な凸部及び凹部を一体成型してなる組み合わせブロック本体と、該ブロック本体の頂部に雌雄嵌合可能に形成された蓋プレートとからなることを特徴とする園芸用ブロック。
【請求項２】
ゴムチップが、廃タイヤ粉砕物等の廃棄ゴムであることを特徴とする請求項１記載の園芸用ブロック。
【考案の詳細な説明】
【技術分野】
【０００１】
本考案は、ベランダやビルの屋上等で草花を植生する際に使用して好適な組合わせ式の園芸用ブロックに関するものである。
【背景技術】
【０００２】
ベランダやビルの屋上等で草花を植生する場合、箱型のプランター等を用いるのが一般的である。また、レンガブロック等を用いて花壇を施工することもある。しかしながら、プランターは容量や形状が限られるため、草花を自由にレイアウトして植生することができなかった。また、レンガブロックはブロック自体が重くかつ硬質であるので、人が転倒して衝突したような場合、重大な負傷をする危険がある。またレンガブロックを用いた花壇製作には熟練した施工技術及び多大な労力を要する。一方、廃タイヤなどの廃棄物処理は、資源の再利用や環境保護の観点から解決すべき社会的な問題となっている。そこで、取り扱いが容易な軟質発泡材により形成した園芸用ブロックが提案されている（特許文献１参照。）。
【０００３】
【特許文献１】特開２００１−２７５４９３号公報
【考案の開示】
【考案が解決しようとする課題】
【０００４】
本考案もまた、上記のような課題に鑑み、取り扱いが容易且つ安全で、組み立てが簡単なばかりでなく、資源の有効的な活用が可能となり、廃棄物処理上の問題解決の一助となり得る園芸用ブロックを提供することを目的とするものである。
【課題を解決するための手段】
【０００５】
上記課題を解決するために、本考案の園芸用ブロックは、ゴムチップをバインダと混合して固形化すると共に、その上面及び下面に雌雄嵌合可能な凸部及び凹部を一体成型してなる組み合わせブロック本体と、該ブロック本体の頂部に雌雄嵌合可能に形成された蓋プレートとからなることを第１の特徴とする。また、ゴムチップが、廃タイヤ粉砕物等の廃棄ゴムであることを第２の特徴とする。
【０００６】
本考案の園芸用ブロックは、ブロック体の上面に一対の凸部、下面に一対の凹部を設け、これらを雌雄嵌合させて多数のブロック体を縦横に連結することにより、使用場所に応じた形状及び大きさの枠体を形成することができる。こうして枠体を庭先や屋上あるいはベランダに設置し、これに植栽用の土壌を入れる。
【考案の効果】
【０００７】
本考案は、以下の優れた効果がある。
（１）ブロック自体が軽量且つ軟質なので取り扱いが容易且つ安全で、組み立てが簡単である。
（２）廃タイヤ粉砕物等のゴムチップを原料としているので、資源の有効活用ができ、且つ製作コストを削減することができる。
【考案を実施するための最良の形態】
【０００８】
本考案に係る実施形態を図面に示す実施例に従って詳述する。図１は本考案に係る園芸用ブロックの斜視図、図２は側面図、図３は平面図、図４は図２のＡ−Ａ線断面図、図５は図３のＢ−Ｂ線断面図、図６はブロック体の連結状態の一例を示す斜視図である。
【実施例】
【０００９】
図中の符号１は廃タイヤ粉砕物等のゴムチップに熱硬化樹脂等のバインダを混合した後、型枠に充填して固化させて形成したブロック本体であり、平面視でブロック本体１の両端部が円形で側面１ｃが凹んだ円弧形状に形成されている。そして、その上面１ａには、円柱状の一対の突部２が形成されると共に、下面１ｂに一対の凹部３を設け、これらを雌雄嵌合させて多数のブロック体１を縦横に連結できるようにされている。この場合、ブロック本体１の両端部と側面１ｃが丸く形取られているため、矩形の直線的な連結だけでなく、所望の曲率を有する円弧状や円形状にも連結できる。
【００１０】
本考案で使用するゴムチップは、例えば、天然ゴム、ポリイソプレンゴム、スチレンゴム、ブタジエンゴム、クロロプレンゴム、ブチルゴム、ニトリルゴム、エチレン・プロピレンゴム、ＥＰＤＭ、クロロスルホン化ポリエチレン、ウレタンゴム、アクリルゴム、多硫化ゴム等の成分からなるチップ状のものであり、好ましくはこれらの成分からなるタイヤ、チューブなどのゴム製品の粉砕物である。
【００１１】
そして、複数個のブロック本体を上下交互に嵌合連結させて、図４に示すように、頂部に蓋プレート４を嵌合させて所望の大きさ及び形状の花壇枠５を形成する。このようにして形成した花壇枠５を屋上や庭先、ベランダ等に設置し、これに土壌を入れて草花を植生するのである。
【００１２】
本考案の園芸用ブロックは、軽量で運搬性も良く、連結作業も容易且つ確実に行うことができる。更に設置場所、植栽する草花の種類とか量により、花壇枠の大きさ、形状を自由に設定することができる。従って、草花を自由にレイアウトして植生する楽しみが得られる。
尚、上記実施例では、ブロック本体の側面が凹んだ円弧形状である場合について述べたが、本考案に係るブロック体の形状はこれに限定されるものではないことは言うまでもない。
【図面の簡単な説明】
【００１３】
【図１】本考案に係る園芸用ブロックの斜視図である。
【図２】図２は側面図である。
【図３】図３は平面図である。
【図４】図４は図２のＡ−Ａ線断面図である。
【図５】図３のＢ−Ｂ線断面図である。
【図６】ブロック体の連結状態の一例を示す斜視図である。
【符号の説明】
【００１４】
１  ブロック本体
１ａブロック本体上面
１ｂブロック本体下面
１ｃブロック本体側面
２  凸部
３  凹部
４  蓋体
５  花壇枠
【図１】
0003132441.tif 000003
【図２】
0003132441.tif 000004
【図３】
0003132441.tif 000005
【図４】
0003132441.tif 000006
【図５】
0003132441.tif 000007
【図６】
0003132441.tif 000008
(57)【要約】【課題】現在成人が有している銀行ATMカード等の遺失・紛失・盗難に際してダイヤル錠付きカードケースに格納しておくことにより、入手した第三者が開封に要する時間を大きくさせ、その間に各カード類の失効手続きを完了することを目的としている。  【解決手段】第三者によるカード類の取出しに時間がかかるよう６桁以上のダイヤル錠を採用し、筐体にチタン等硬度の高い金属材質を用い蝶番側からのダイヤモンドカッター等による切断行為に対処し、また上蓋と下蓋との嵌合部に段差を有する断面としてドライバー等でのこじ開け行為を阻止し、筐体内部に防磁膜を貼付または塗布しスキミング防止に備えている。  【選択図】図１
0003132450.tif 000002
【実用新案登録請求の範囲】
【請求項１】
任意な開封番号を初期設定できる６桁以上のダイヤル錠２を有した高硬度金属製の小型筐体１であり、上蓋と下蓋の嵌合部は段差４を有した断面とし筐体内部に防磁膜５を貼付または塗布した構造を有する携帯用カードーケース。
【考案の詳細な説明】
【技術分野】
【０００１】
本発明は携帯用ダイヤル錠付きカードケースに関する。
【背景技術】
【０００２】
現在成人一人あたり銀行ATMカード、クレジットカード等の平均所有枚数は約３枚といわれており、各人の保管状態は現金と共に財布等に格納して携帯しているのが現状であり、日常の経済活動のうえでこれらカードを携帯することは利便性大なるがため当然の行為であるが遺失・紛失・盗難の恐れは常に考慮されなければならない。
【０００３】
カードの使用に際しては、暗証番号の入力等を行わなければ使用不可能な機能を有しており暗証番号は通常数字4桁の場合が多く生年月日、電話番号等他に何らかのデータがあれば判明するケースまま見られ、入手者が銀行・カード会社・警察等を装い電話等で所有者から生年月日等の情報を得て現金等の引出しを行うなどの犯罪が成立する場合がある。
【０００４】
第三者が入手した場合は上記ケースような事例は少ないが組織犯罪者等の手に陥ればスキミング等でカード類から直接データそのものを読み取られてしまうような犯罪上の進歩もみられる。
【０００５】
カード類の遺失・紛失・盗難に気が付くのが遅れた場合、カード類の失効手続きに時間の少ない程被害に遭遇する確率は下がるが、銀行等が土日等の閉庁日などの場合は連絡が取れないことになる。
【０００６】
そこでダイヤル錠付きカードケースに銀行ATMカード、クレジットカード類を格納しておき、不法に入手した第三者が開封する際に十分な時間を掛けさせる間にカード類の失効手続きを完了することを目的としている。
【０００７】
またロック機構を有したカードケースも見られる（特開平８−１８２５２８）も見られるが、特開平８−１８２５２８に対してより故障の少ない機械式錠であるダイヤル錠を採用し任意な６桁以上の開錠番号を設定することによって第三者による悪意の解錠を容易ならざるものとし、また筐体内部に防磁膜を貼付または塗布する構造によって組織犯罪者等によるスキミング防止にも備えている。
【特許文献１】特開平８−１８２５２８号公報
【考案の開示】
【考案が解決しようとする課題】
【０００８】
カード類を紛失・盗難の際最も有効手段であるカード類の失効手続きを速やかに行うことにより、カード類紛失等による起りうる所有者の経済的損失を未然に防止する一種のフェイルセーフを目的としている。
【課題を解決するための手段】
【０００９】
６桁以上のダイヤル錠カードケースに格納することにより、カード類の取出しに時間がかかるよう図りその間にカード類の失効手続きの完了を図るものである。
【考案の効果】
【００１０】
携帯している物質を紛失したり、盗難にあうことは当然考慮される現象であり、社会全体からみた場合相当な数量に上りそれは経済上の損失・混乱を招き、また遺失物拾得等で入手した場合の第三者に犯意誘発の可能性を未然に阻止し、プロの犯罪者による犯行成立の確率を低下させる目的を達成する。
【考案を実施するための最良の形態】
【００１１】
カード類を格納している筐体を開封するのに鍵式のように紛失の恐れがなく故障の少ない機械式装置であるダイヤル錠を採用し、さらに６桁以上とすることで第三者が施錠解除する場合に要する時間を長くなるよう設定している。
【００１２】
６桁以上を採用している根拠は、１秒に１の目盛を廻すとして100,000／3,600＝278時間＝11.5日となり採用する数字が半ばであっても5日を要する計算となり、この間にカード類の失効手続きの完了を図るためである。
【００１３】
開錠番号を任意に設定できるメリットは６桁であっても所有者にとっては生年月日あるいは家の電話番号など絶対忘れない番号を設定でき、第三者にとってはヒントがなければ開錠に長時間要することになる。
【００１４】
筐体にチタン等硬度の高い金属材質を用いることにより蝶番側からのダイヤモンドカッター等を使用した切断作用に対する開封行為にも対処しており、また上蓋と下蓋との嵌合部に段差を有した断面にすることによりドライバー等を差込みこじ開ける行為を阻止し、筐体内部に防磁膜を貼付または塗布した構造はスキミング防止に備えている。
【産業上の利用可能性】
【００１５】
銀行ATMカード、クレジットカード等の遺失・紛失・盗難等で生じる所有者の経済的損失の可能性逓減、対応する銀行・警察等の経済上・行政上の混乱が避けられ、また遺失物拾得等によって入手した第三者の犯意誘発の可能性を未然に阻止し、犯罪防止にも繋がる。
【図面の簡単な説明】
【００１６】
【図１】携帯式ダイヤル錠カードケース開封状態の斜視図
【符号の説明】
【００１７】
１筐体
２ダイヤル錠
３開封レバー
４嵌合部段差
５防磁膜貼付または防磁膜塗装
【図１】
0003132450.tif 000003
(57)【要約】【課題】  多くの消費者に好まれるカレーライスを串カツ状に加工することで、手軽に食することができるばかりでなく、斬新な食味と食感が得られる串揚げ食品を提供する。【解決手段】  豚肉ブロックを手作業で一口大のサイコロ状にカットして具材５を得る。一方、市販のカレールウを具材５に絡まる程度の粘度に煮溶かし、ウスターソースを加え、カレーペースト４を得る。そして、複数個の具材５を串６に刺し通し、全体にカレーペースト４を絡ませる。次いで、これを常法により炊飯したご飯３で被包する。最後に、衣材２（パン粉）を表面に塗布して、串揚げ食品１を得る。【選択図】  図１
0003132442.tif 000002
【実用新案登録請求の範囲】
【請求項１】
一口大の塊状にカットした具材を串に刺し、カレーペーストとご飯で被覆し、さらに衣材で包んでなることを特徴とする串揚げ食品。
【請求項２】
具材が豚肉、牛肉、鶏等の食肉、卵、魚介類、ソーセージ等の加工肉製品、加工水産物、チーズ等の乳製品、野菜から選ばれた１種またはこれらの組み合わせからなることを特徴とする請求項１記載の串揚げ食品。
【考案の詳細な説明】
【技術分野】
【０００１】
本考案は、予め調理加工された串揚げ食品に関するものである。
【背景技術】
【０００２】
従来、串に刺した食品として、鶏肉やイカ、タコ、ホタテ貝などの水産物を串に刺して加熱して食するものが知られている。これらの食品の食材は、未調理か、あるいは一次加工した食材を予め串に刺して準備しておき、食する際に加熱調理する。
【０００３】
また、串に刺した豚肉等をパン粉の衣で包んで油で揚げたフライ食品、いわゆる串カツも良く知られている（例えば、特許文献１参照。）。一方、カレーライスは多くの消費者に好まれる料理であるが、通常は皿に盛って食する。
【０００４】
【特許文献１】実用新案登録第３０６６９４３号公報
【考案の開示】
【考案が解決しようとする課題】
【０００５】
現在、食品嗜好の多様化が広がる中にあって、串カツのようなフライ食品も、斬新な食味と食感が求められている。本考案は、上記従来の課題に鑑み、多くの消費者に好まれるカレーライスを串カツ状に加工することで、手軽に食することができるばかりでなく、斬新な食味と食感が得られる串揚げ食品を提供することを目的するものである。
【課題を解決するための手段】
【０００６】
そこで、本考案の串揚げ食品は、一口大の塊状にカットした具材を串に刺し、カレーペーストとご飯で被覆し、さらに衣在で包んでなることを第１の特徴とする。また、具材が豚肉、牛肉、鶏等の食肉、卵、魚介類、ソーセージ等の加工肉製品、加工水産物、チーズ等の乳製品、野菜から選ばれた１種またはこれらの組み合わせからなることを第２の特徴とする。
【考案の効果】
【０００７】
本考案によれば、油で揚げるだけで簡単に調理でき、通常は皿に盛って食さなければならないカレーライス様の食品を、屋外や車両での移動中において手軽に食することができる。また、ご飯を被包したのでボリュームが有り食後の満足感が得られる。
【考案を実施するための最良の形態】
【０００８】
以下、図面に示す実施例に基づいて本考案を実施するための最良の形態を詳細に説明する。
図１は本考案に係る串揚げ食品を模式的に示す側面断面図、図２は正面断面図である。
【０００９】
本考案で言う具材としては、食肉、野菜、魚介類、乳製品、およびこれらの組み合わせである。 具体的には、豚肉、鶏肉、牛肉、馬肉、羊肉、山羊肉、家兎肉、家禽肉、猪肉、鴨肉、魚肉、鯨肉などの肉類；アスパラガス、タマネギ、ネギ、インゲン豆、ゴボウ、ニンジン、サツマイモ、レンコン、カボチャ、ホウレン草などの野菜類；イカ、えび、ホタテ貝、タコなどの魚介類；そして、チーズなどの乳製品やソーセージやカマボコなどの加工食肉や加工水産物を利用することができる。
【００１０】
先ず、具材を一口大の塊状にカットして所望の数、串に刺し通す。次に、串を通した具材全体をカレーペーストで被包し、さらにご飯で被包し、これに衣材を塗布する。本考案の衣材としては、油揚げ調理において通常使用されているものが利用でき、例えば、小麦粉、パン粉などの穀粉類や、さらに溶き卵などを必要に応じて組み合わせて使用することも可能である。
【００１１】
このようにして調製した串揚げ食品を、油で揚げて調理する。 油揚げ調理は、従来の串カツの油揚げ調理と同様にして実施できる。 なお、予め加熱調理された具材を利用すれば、一般的には、約１６０℃〜１８０℃程度で約４〜約６分間油揚げ調理すれば良い。
【実施例】
【００１２】
以下、豚肉を具材とした串揚げ食品１の製造手順を説明する。
【００１３】
まず、豚肉のブロックを準備した。ブロックを手作業で一口大のサイコロ状にカットして具材５を得た。このように、具材５を一口大にカットすることで、後述するカレーペーストとご飯を一緒に食べ易くすることができる。また、予め具材５を加熱調理しておくものでも良い。
【００１４】
一方、市販のカレールウ（商品名：スパイシーカレー：タカ食品工業株式会社製）を具材５に絡まる程度の粘度に煮溶かし、ウスターソース（イカリ食品株式会社製）を加え、カレーペースト４を得た。このように、カレールウにウスターソースを加えることで、粘着性が増し、風味が良くなり甘みが出る。添加割合としては、カレールウ１Ｋｇに対して、ウスターソースを１６０ｇ程度加えるのが好ましい。
【００１５】
そして、複数個の具材５を串６に刺し通し、全体にカレーソース４を絡ませる。次いで、これを常法により炊飯したご飯３で被包する。最後に、衣材２（パン粉）を表面に塗布して、本考案の串揚げ食品１を得た。そして、約１７０℃程度の油温にまで加熱したフライ油を張ったフライヤーに、串揚げ食品１を投入して油揚調理した。
【００１６】
尚、本実施例では、豚肉を具材とした串揚げ食品の製造例を例示したが、上述したように、その他の具材、例えば、豚肉、鶏肉、牛肉、馬肉、羊肉、山羊肉、家兎肉、家禽肉、猪肉、鴨肉、魚肉、鯨肉などの肉類；アスパラガス、タマネギ、ネギ、インゲン豆、ゴボウ、ニンジン、サツマイモ、レンコン、カボチャ、ホウレン草などの野菜類；イカ、えび、ホタテ貝、タコなどの魚介類；そして、チーズなどの乳製品やソーセージやカマボコなどの加工食肉や加工水産物を具材として選択しても、上記した一連の製造工程を経ることで同様の加工食品を得ることができる。また、本考案の串揚げ食品は、冷凍状態で流通に供し、消費者が揚げ調理する冷凍食品とすることもできる。
【図面の簡単な説明】
【００１７】
【図１】本考案に係る串揚げ食品を模式的に示す側面断面図である。
【図２】図２は正面断面図である。
【符号の説明】
【００１８】
１  串揚げ食品
２  衣材
３  ご飯
４  カレーペースト
５  具材
６  串
【図１】
0003132442.tif 000003
【図２】
0003132442.tif 000004
(57)【要約】【課題】レトルト食品袋を温める際に、手間と時間を省く為、そして、火を使わず安全に温める為に、鍋を使用せずポットで温める時の、ひもを取り付けたレトルト食品袋を提供する。【解決手段】ひも２が取り付けられているレトルト袋１を、ポット４内のお湯６に入れ、蓋５を閉め、温まるのを待つ。その際湯せん表示３により、湯せん中である事がわかる。温まった後に蓋５を開け、ひも２を引っ張り上げるだけで、お湯６に手がふれる事なく、レトルト袋１を取り出す事ができる。【選択図】図１
0003132492.tif 000002
【実用新案登録請求の範囲】
【請求項１】
ポット内から引っ張り上げる為のひもをつけたレトルト袋
【請求項２】
請求項１のひもの先に、湯せん中の表示をした物
【考案の詳細な説明】
【技術分野】
【０００１】本考案は、ポットで温まったレトルト袋を引っ張り上げる為のひもを取り付けたレトルト袋に関する。
【背景技術】
【０００２】レトルト袋を温める時には、鍋を取り出し、水を入れて、沸騰した後にレトルト袋を入れて、使用後には、お湯は捨てている場合が多い。
【考案の開示】
【考案が解決しようとする課題】
【０００３】レトルト袋を温める時に鍋を使用すると、時間と手間がかかり、使用後のお湯も再利用されないという課題がある。
【課題を解決するための手段】
【０００４】上記欠点を解決するため、請求項１に記載の考案においては、ポットでの湯せんにおいて、ポット内から引っ張り上げる為のひもをつけたレトルト袋の構成である。【０００５】更に、請求項２に記載の考案においては、請求項１のひもの先に、湯せん中の表示をした物をつける構成である。
【考案の効果】
【０００６】本考案は、レトルト袋を常に温まっているポットの中で温めることによって、鍋で湯せんする時の手間と時間を省略し、ひもをつけた事によりポット内のお湯に手がふれる事なく、レトルト袋をしずめて、やわらかくつぶれるひもにより、ひもを外にはみだして、そのままポットの蓋を閉め、温め、そしてその後ポットの蓋を開け、ひもを引っ張り上げる事で、ポット内のお湯に手がふれる事なく、レトルト袋を取り出す事ができる。【０００７】そして、ひもの先には、湯せん中の表示があるので、温め中である事が誰にでもわかり、取り出し忘れても一目でわかる様にできる。
【実施例】
【０００８】図１においては、１はレトルト袋、２はやわらかくつぶれるひも、３は湯せん中の表示をした物、４はポット、５はポットの蓋、６はお湯である。
上記本考案の実施例によると、ポット６でレトルト袋１を温めるのに、レトルト袋１には蓋５を閉めることができるひも２が取り付けられていて、お湯６に手がふれる事なくレトルト袋１を温める事ができる。なおひも２の先には、湯せん中の表示をした物３がつけられていて、湯せん中が一目瞭然である。
【図面の簡単な説明】
【図１】本考案に係るポット湯せん用ひも付レトルト食品袋の説明図。
【符号の説明】
１  レトルト袋
２  やわらかくつぶれるひも
３  湯せん中の表示をした物
４  ポット
５  ポットの蓋
６  お湯
【図１】
0003132492.tif 000003
【手続補正書】
【提出日】平成19年3月2日(2007.3.2)
【手続補正１】
【補正対象書類名】実用新案登録請求の範囲
【補正対象項目名】全文
【補正方法】変更
【補正の内容】
【実用新案登録請求の範囲】
【請求項１】
ポット内から引っ張り上げる為のひもをつけたレトルト袋
【請求項２】
請求項１のひもの先に、湯せん中の表示を備えたことを特徴とする請求項１に記載のレトルト袋
(57)【要約】      （修正有）【課題】つかみ易く、万一折れても手などを怪我する恐れが少なくなる木製手摺を提供する。【解決手段】２本の半円柱形状の木材１１、１２は、粘着剤１４で結合されている。糸２を木材１１、１２の結合部１３に１以上設ける。糸２は結合部１３の長手方向に配置する。【選択図】図２
0003132495.tif 000002
【実用新案登録請求の範囲】
【請求項１】
下記の構成よりなっている木製手摺１。
（イ）２本の半円柱形状の木材１１、１２は、粘着剤１４で結合されている。
（ロ）糸２を木材１１、１２の結合部１３に１以上設ける。
（ハ）糸２は結合部１３の長手方向に配置する。
【考案の詳細な説明】
【技術分野】
【０００１】  この考案は、糸が内蔵された木製手摺に関するものである。
【背景技術】
【０００２】  従来の木製手摺には、糸が内蔵されていない。
【考案の開示】
【考案が解決しようとする課題】
【０００３】  これには次のような欠点があった。
１：木製手摺は、強度を増すために太く作ると手摺を手でつかみづらくなる。
２：木製手摺は、手でつかみ易くするために細くすると手摺が折れたとき、木の折れ目で手などを怪我する恐れがあった。
【課題を解決するための手段】
【０００４】  本考案はこれらの欠点を解決するために成されたものである。
本考案は、図２で示すように、下記の構成よりなっている。
（イ）２本の半円柱形状の木材１１、１２は、粘着剤１４で結合されている。
（ロ）糸２を木材１１、１２の結合部１３に１以上設ける。
（ハ）糸２は結合部１３の長手方向に配置する。
【考案の効果】
【０００５】  本考案により、次の効果を生む。
１：木製手摺１を手でつかみ易くなるように細くできる。
２：木製手摺１が万一折れても、粘着剤１４で結合した部分に糸２を内蔵しているので、折れ方が急激にならず手などを怪我する恐れが少なくなる。
【考案を実施するための最良の形態】
【０００６】  以下、本考案を実施するための最良の形態を説明する。
本考案は下記の構成よりなっている木製手摺１である。
（イ）２本の半円柱形状の木材１１、１２は、粘着剤１４で結合されている。
（ロ）糸２を木材１１、１２の結合部１３に１以上設ける。
（ハ）糸２は結合部１３の長手方向に配置する。
これらを次に詳しく説明する。【０００７】  木製手摺１の仕上がりの形状は、円柱形状である。
しかし、初めから半円柱形状の木材で仕上げてもよいが、本考案は次の手順で製造する。
１：２本の直方体形状の角材２１、２２を用意する。
２：角材２１、２２の結合部１１に粘着剤１４を塗布する。
３：粘着剤１４を塗布した角材２２の結合しようとする面に糸２を１以上貼り付ける。
ここで使用する糸２は、細くて丈夫なもので、粘着剤１４で溶解しない、あるい腐食しない材質でできていることが好ましい。
４：糸２の貼り付け方は、結合部１３の長手方向である。
糸２が１本の場合の貼り付け方は、結合部１３の中央部である。
糸２が２本以上の場合の貼り付け方は、なるべく均等にする。
５：糸２の貼り付けが済んだら、角材２１を角材２２に重ね合わせる。
６：粘着の強度を増すために角材２１、２２の上下方向から圧力を加える。
７：結合完了後、結合させた角材２１、２２を円柱形状に削り、木製手摺１を得る。
【その他の実施例】
【０００８】  図３で示すように、木製手摺１をさらに折れにくくするために、糸２に１以上の結び目３を設けてもよい。
【０００９】  図４で示すように、木製手摺１をさらに折れにくくするために、糸２を１以上内蔵した布４を使用してもよい。あるいは、図示しないが、糸２を内蔵しない布だけでもよい。この場合、布の面積は角材２１、２２の結合力を強くするためになるべく小さくする。
【００１０】  図示しないが、糸２の代わりにワイヤーや網（ネット）を使用してもよい。
網（ネット）の場合は、粘着剤が網目に邪魔されない利点がある。
【図面の簡単な説明】
【００２０】図１は、本考案の斜視図である。
図２は、本考案の正面断面図である。
図３、図４は、本考案の他の実施例を示す正面断面図である。
図５、図６は、本考案の製造方法を示す斜視図である。
図７、図８は、本考案の製造方法を示す正面断面図である。
【符号の説明】
【００３０】１木製手摺    ２糸    ３結び目    ４布
１１木材    １２木材    １３結合部    １４粘着剤
２１角材    ２２角材
３１削り部    ３２削り部
【図１】
0003132495.tif 000003
【図２】
0003132495.tif 000004
【図３】
0003132495.tif 000005
【図４】
0003132495.tif 000006
【図５】
0003132495.tif 000007
【図６】
0003132495.tif 000008
【図７】
0003132495.tif 000009
【図８】
0003132495.tif 000010
【手続補正書】
【提出日】平成19年3月29日(2007.3.29)
【手続補正１】
【補正対象書類名】明細書
【補正対象項目名】００２０
【補正方法】変更
【補正の内容】
【００２０】
【図１】は、本考案の斜視図である。
【図２】は、本考案の正面断面図である。
【図３】は、本考案の他の実施例を示す正面断面図である。
【図４】は、本考案の他の実施例を示す正面断面図である。
【図５】は、本考案の製造方法を示す斜視図である。
【図６】は、本考案の製造方法を示す斜視図である。
【図７】は、本考案の製造方法を示す正面断面図である。
【図８】は、本考案の製造方法を示す正面断面図である。
【手続補正２】
【補正対象書類名】明細書
【補正対象項目名】００３０
【補正方法】変更
【補正の内容】
【００３０】  １  木製手摺
２  糸
３  結び目
４  布
１１  木材
１２  木材
１３  結合部
１４  粘着剤
２１  角材
２２  角材
３１  削り部
３２  削り部